【手続補正書】
【提出日】平成17年7月27日(2005.7.27)
【手続補正１】
【補正対象書類名】明細書
【補正対象項目名】特許請求の範囲
【補正方法】変更
【補正の内容】
【特許請求の範囲】
【請求項１】
通話又はデータ通信を行う通信手段と、
相手先の名前及び電話番号からなる文字情報並びに画像情報を記憶する記憶手段と、
該記憶手段から読み出された上記文字情報及び上記画像情報を表示する表示手段と、
上記文字情報を上記記憶手段に書き込むための操作手段とを有し、
上記画像情報は、上記文字情報に関連付けて上記記憶手段に記憶されることを特徴とする移動体通信端末機器。
【請求項２】
上記画像情報は、関連付けられた上記文字情報に対応して該文字情報とともに上記表示手段に表示されることを特徴とする請求項１に記載の移動体通信端末機器。
【請求項３】
上記表示手段に表示された上記画像情報が上記操作手段により選択されることによって、相手先の電話番号へ発信することを特徴とする請求項２に記載の移動体通信端末機器。
【請求項４】
カメラにより撮影された画像情報が記録される記録手段と、
上記記録手段に記録された上記画像情報を上記記憶手段に転送する転送手段とを更に有し、
上記記録手段から上記記憶手段に転送された上記画像情報は、上記文字情報に関連付けて上記記憶手段に記憶されることを特徴とする請求項１に記載の移動体通信端末機器。
【請求項５】
上記画像情報は、上記相手先に対応する人物の顔画像であることを特徴とする請求項１に記載の移動体通信端末機器。
【手続補正２】
【補正対象書類名】明細書
【補正対象項目名】０００５
【補正方法】変更
【補正の内容】
【０００５】
【課題を解決するための手段】
第１の本発明による移動体通信端末機器は、通話又はデータ通信を行う通信手段と、相手先の名前及び電話番号からなる文字情報並びに画像情報を記憶する記憶手段と、その記憶手段から読み出された文字情報及び画像情報を表示する表示手段と、文字情報を記憶手段に書き込むための操作手段とを有し、画像情報は、文字情報に関連付けて記憶手段に記憶されるものである。
【手続補正３】
【補正対象書類名】明細書
【補正対象項目名】０００６
【補正方法】変更
【補正の内容】
【０００６】
かかる第１の本発明によれば、通信手段によって、通話又はデータ通信を行い、記憶手段によって、相手先の名前及び電話番号からなる文字情報並びに画像情報を記憶し、表示手段によって、記憶手段から読み出された文字情報及び画像情報を表示し、操作手段によって、文字情報を記憶手段に書き込み、画像情報は、文字情報に関連付けて記憶手段に記憶される。
【手続補正４】
【補正対象書類名】明細書
【補正対象項目名】０００７
【補正方法】変更
【補正の内容】
【０００７】
【発明の実施の形態】
第１の本発明は、通話又はデータ通信を行う通信手段と、相手先の名前及び電話番号からなる文字情報並びに画像情報を記憶する記憶手段と、その記憶手段から読み出された文字情報及び画像情報を表示する表示手段と、文字情報を記憶手段に書き込むための操作手段とを有し、画像情報は、文字情報に関連付けて記憶手段に記憶されるようにした移動体通信端末機器である。
【手続補正５】
【補正対象書類名】明細書
【補正対象項目名】０００８
【補正方法】変更
【補正の内容】
【０００８】
第２の本発明は、第１の本発明の移動体通信端末機器において、画像情報は、関連付けられた文字情報に対応して文字情報とともに表示手段に表示される移動体通信端末機器である。
第３の本発明は、第２の本発明の移動体通信端末機器において、表示手段に表示された画像情報が操作手段により選択されることによって、相手先の電話番号へ発信する移動体通信端末機器である。
【手続補正６】
【補正対象書類名】明細書
【補正対象項目名】０００９
【補正方法】変更
【補正の内容】
【０００９】
第４の本発明は、第１の本発明の移動体通信端末機器において、カメラにより撮影された画像情報が記録される記録手段と、記録手段に記録された画像情報を記憶手段に転送する転送手段とを更に有し、記録手段から記憶手段に転送された画像情報は、文字情報に関連付けて記憶手段に記憶される移動体通信端末機器である。
第５の本発明は、第１の本発明の移動体通信端末機器において、画像情報は、相手先の顔の画像である移動体通信端末機器である。
【手続補正７】
【補正対象書類名】明細書
【補正対象項目名】００１８
【補正方法】変更
【補正の内容】
【００１８】
次に、移動体通信端末機器１の動作を説明する。ユーザは操作キー装置１１のキーを操作して、相手先の電話場号の入力、電話帳の検索及び登録等を行うと、相手先の名前、電話番号、画像ファイルの画像が、液晶パネル１０上に表示される。この相手先の名前、電話番号の文字データ及び画像ファイルはメモリ７に記憶される。この内、画像ファイルは、ユーザの操作キー装置１１のキー操作によって、外部記録媒体１３から、ドライブ回路８を通じて、メモリ７に転送されたものである。ユーザはスピーカ９及びマイク１２を用いて、通話を行う。通信回路４では、アンテナ５を用いて、通話又はデータ通信が行われる。ＣＰＵ６は移動体通信端末機器本体２の各部及び全体のシステムの制御を行う。電源１４は、移動体通信端末機器本体２の必要な部分に直流電圧を供給する。
【手続補正８】
【補正対象書類名】明細書
【補正対象項目名】００２０
【補正方法】変更
【補正の内容】
【００２０】
電話帳検索時には、ユーザは、メニュー３３の操作、又は、カーソル右移動キー３７又はカーソル左移動キー３８を操作して、液晶パネル１０に表示される電話帳のコマンド（図示せず）を選択する。このとき、液晶パネル１０の画像表示部３０Ｂには、メモリ７に記憶されている相手先の顔写真の画像ファイルが表示され、名前及び電話番号表示部３０Ａには、相手先の名前（氏名）及び電話番号が表示される。これら画像ファイル、氏名、電話番号のうちの任意のものの所に、カーソル移動キー３７、３８の操作によってカーソル移動させた後、決定キー３４を操作すれば、その相手先の電話番号に自動的に電話が掛けられる。又、これを取り消すには、キャンセルキー３５を操作すれば良い。
【手続補正９】
【補正対象書類名】明細書
【補正対象項目名】００２８
【補正方法】変更
【補正の内容】
【００２８】
【発明の効果】
本発明によれば、通話又はデータ通信を行う通信手段と、相手先の名前及び電話番号からなる文字情報並びに画像情報を記憶する記憶手段と、その記憶手段から読み出された文字情報及び画像情報を表示する表示手段と、文字情報を記憶手段に書き込むための操作手段と、画像情報が記録（又は記憶）された外部記録手段（又は外部記憶手段）から得られた画像情報を記憶手段に転送する転送手段とを有し、転送手段から転送された画像情報は、文字情報に関連付けて記憶手段に記憶されるので、電話帳機能に、相手先の名前及び電話番号の他に、その相手先に関連する画像情報を付加することによって、通話しようとする相手先の電話場号を探す時間が短縮されると共に、その画像情報を記憶手段に容易に転送することのできる移動体通信端末機器を得ることができる。
【手続補正１０】
【補正対象書類名】明細書
【補正対象項目名】００２９
【補正方法】変更
【補正の内容】
【００２９】
また、外部記録手段（又は外部記憶手段）には、被写体をデジタルカメラによって撮影して得た画像情報が記録（又は記憶）されているので、相手先の画像情報を容易に記憶手段に記憶することのできる移動体通信端末機器を得ることができる。
【手続補正１１】
【補正対象書類名】明細書
【補正対象項目名】００３０
【補正方法】変更
【補正の内容】
【００３０】
また、画像情報は、相手先の顔の画像であるので、相手先の電話番号を探す時間を一層短縮することのできる移動体通信端末機器を得ることができる。